(57)【要約】【課題】  墓所外柵内の土間・庭部において、樹木や芝生の植栽による大変なメンテナンスやモルタル施工などの殺風景な美観を払拭するため、コケ植物を敷く、又は、その胞子を蒔く又は植えた施工、管理方法。【解決手段】  墓所外柵３内の土間・庭部４に、水はけを考慮し、その墓所に合った下地層７及び定着層８を造り、その上にコケ植物９を敷き詰めて植えるか、又は、その胞子（９）を蒔くことからなるコケ植物を使った墓所の植栽施工方法及び管理方法。【選択図】図２
2011092166.tif 000002
【特許請求の範囲】
【請求項１】
墓所外柵内の土間又は庭部に、コケ植物を敷くことからなるコケ植物を使った墓所の植栽施工方法及び管理方法。
【請求項２】
墓所外柵内の土間又は庭部に、コケ植物の胞子を蒔く又は植えることからなるコケ植物を使った墓所の植栽施工方法及び管理方法。
【請求項３】
請求項１又は２に記載の方法において、使用するコケ植物が、直射日光又は乾燥に強く、灌水又は施肥などのメンテナンスを必要としないスナゴケ、フデゴケ、又はカモジゴケ等の蘇類からなるコケ植物を使った墓所の植栽施工方法及び管理方法。
【請求項４】
請求項１、２又は３に記載の方法において、使用するコケ植物が施工後にメンテナンスを必要としないで生育できるように、コケ植物の定着層の下に水はけ層の下地施工を行うことを特徴とするコケ植物を使った墓所の植栽施工方法及び管理方法。
【発明の詳細な説明】
【技術分野】
【０００１】  本発明は、墓所の土間又は庭部に、コケ植物を用いて、植栽施工、管理をする墓所の植栽施工方法及び管理方法に関するものである。
【背景技術】
【０００２】    従来、墓所の土間・庭部には、ツゲやツツジなどの樹木、又は芝生を植栽したり、黒石・白石などの敷石、モルタルや表面に石を埋め込んだセメント塗装などが施されていた。
【発明の概要】
【発明が解決しようとする課題】
【０００３】    しかしながら、従来技術には、次のような欠点があった。
（イ）  ほとんどの墓地で、墓所内の植木には低木を使うよう決められているが、樹木を植栽してしまうと、枝が生長するにつれ、自所の外柵を越えて近隣の墓所内にかかってしまったり、伸びた根が墓石の土台や外柵をずらしたり、多くの枯葉が散乱してしまうおそれがある。
（ロ）  芝生は伸びた根同士が絡み合うため、年に数回根切りをしないと、枯れた箇所の部分的な入れ替えが困難になる。放置し過ぎて伸び切った葉を苅込すると、葉全体を刈ることになり、光合成ができなくなって枯れてしまう。また、生育を保つためには定期的な散水、施肥などこまめなメンテナンスが必要で大変である。
（ハ）  黒石・白石などの敷石は、層を重ねても隙間が出来やすく、雑草の種が飛来して着地すると根付きやすいため、様々な雑草が大量に生長してしまう。
（ニ）  モルタルやセメントで固められた墓所は、見た目に殺風景である。
（ホ）  屋上緑化にて高層で植物を施工するには、台風などの悪天候でも吹き飛ばされないように、容器に植えて、その容器を敷き並べる大掛かりな施工が必要である。
（ヘ）  日本庭園などの苔庭で使用されるコケ植物は、塀や高木などによる日照や風通しの問題もあり、多種多様なコケ植物を使用するので、定期的な灌水などの管理が必要である。
本発明は、以上のような欠点をなくすためになされたものである。
【課題を解決するための手段】
【０００４】  本発明は、以上の課題を解決するために、請求項１に記載のように、墓所外柵内の土間又は庭部に、コケ植物を敷くことからなるコケ植物を使った墓所の植栽施工方法及び管理方法を提供するものである。【０００５】  また、本発明は、請求項２に記載のように、墓所外柵内の土間又は庭部に、コケ植物の胞子を蒔く又は植えることからなるコケ植物を使った墓所の植栽施工方法及び管理方法を提供するものである。【０００６】  また、本発明は、請求項３に記載のように、請求項１又は２に記載の方法において、使用するコケ植物が、直射日光又は乾燥に強く、灌水又は施肥などのメンテナンスを必要としないスナゴケ、フデゴケ、又はカモジゴケ等の蘇類からなるコケ植物を使った墓所の植栽施工方法及び管理方法を提供するものである。【０００７】  また、本発明は、請求項４に記載のように、請求項１、２又は３に記載の方法において、使用するコケ植物が施工後にメンテナンスを必要としないで生育できるように、コケ植物の定着層の下に水はけ層の下地施工を行うことを特徴とするコケ植物を使った墓所の植栽施工方法及び管理方法を提供するものである。
【発明の効果】
【０００８】  （イ）コケ植物は他の植物のように、根から土中の水分・栄養分を吸収して生育するような形態形成をもたず、上に咲いた葉から水分を吸収し、その水分に含まれているミネラル等の栄養分を分解・吸収して育成する。また、新芽と入れ替わった古い芽は、群落の下方へ入り、自身の土壌へと分解・形成されるので、枯葉が周りに飛び散らかるようなことはない。【０００９】  （ロ）使用するコケ植物は、生長してもほとんどが長さ５ｃｍ未満なので、周りの墓地にかかるようなこともなく、根幹をもたないので、部分的に剥がすことも簡単である。
（ハ）コケ植物が旺盛に成長すると、１本１本の間隔が蜜になり、群落となったコケ植物の上に雑草の種が飛来・着地しても、コケ植物が邪魔をして根付きにくくなる、もしくは、枯れやすくなるので、除草する必要がない。
（ニ）コケ植物の蘇類の中でも、スナゴケ・フデゴケ・カモジゴケ等は、特に直射日光や乾燥に強く、胞子の発芽時も含め、空気中の湿度、夜霧や自然の降雨だけで生命を維持できるので、植物の管理に大変な、灌水・施肥などのメンテナンスは不要である。【００１０】  （ホ）このような生態系からコケ植物は、悪条件でも生育できる強靭な植物であり、定期的なメンテナンスを行わず、放置した状態でも、半永久的ともいえるほど自生するので、１年中四季を通して常に観賞を楽しめる。また、スナゴケは星形の葉をもった黄緑色、フデゴケはビロード調な葉で光沢のある緑色、カモジゴケは半球状の葉先で濃い緑色に育ち、混合させることもできるので、見た目にも青々と鮮やかな美観である。
（ヘ）平らでない凹凸のある場所でも、最良な水はけや、隙間のない配置など、生育に最適な環境の下地を、軽石、砂や土で施工できるので、その下地の上に直にコケ植物を設置でき、美観を損ねる容器などを必要としない。
【図面の簡単な説明】
【００１１】
【図１】本発明方法による墓所の斜面図である。
【図２】その墓所の要部の断面図である。
【発明を実施するための形態】
【００１２】  以下、本発明を実施に基づいて説明する。
【実施例１】
【００１３】  図１において、１は墓石、２は墓誌、３は墓所外柵、４は土間・庭部、５は拝台である。
本発明方法は、墓所外枠３内の土間・庭部４に施されることとなる。
まず、土間・庭部４に落ちた枯葉やゴミをきれいに清掃する。雑草は根から抜き取る。次に、図２に記載の如く、最良な水はけを考慮し、土間・庭部４の基礎面６の上面に下地層７を造る。この実施例の場合、下地層７としては水はけの良い軽石を敷き詰める。なお、下地層７としては、軽石に代わる排水設備やプラスチック製の部材を使用することができる。その上に施工するコケ植物に適した砂・土からなる定着層８を敷き詰め、更に、その上にその墓所に合ったコケ植物９を敷き詰めて植える。または、コケ植物９を植える代わりにコケ植物の胞子を蒔く。その後、コケ植物９又は胞子を下地の定着層８に馴染むように散水する。
本発明は、以上のような墓所の施工方法及び管理方法である。
【符号の説明】
【００１４】      １  墓石
２  墓誌
３  外柵
４  土間・庭部
５  拝台
６  土間・庭部の基礎面
７  下地層（水はけを良くする軽石）
８  定着層（コケ植物の定着を促す砂・土）
９  コケ植物、又その胞子
【図１】
2011092166.tif 000003
【図２】
2011092166.tif 000004